(57)【特許請求の範囲】
【請求項１】
建築物の高さの斜線制限の勾配に沿った勾配面と、該勾配面を挟んだ下端部分の受梁接合部と、該勾配面を挟んだ上端部分の水平面とを備え、かつ上記受梁接合部から上記勾配面の裏側に沿って、湾曲凹状に延長した後に上記水平面と平行に延長する内側面を備える勾配付集成梁部材を用いた、階高上端に位置する上階の床面と、建築物の外壁面との仮想の交点が斜線制限の外側に位置する部分の梁部構造であって、上記勾配面を上記斜線制限の勾配に沿って配置し、上記受梁接合部を、上記斜線制限を回避して階高上端よりも下方に設けた受梁に接合するとともに、上記水平面を階高上端に沿って延長させることを特徴とする梁部構造。
【請求項２】
上記受梁には、当該受梁の幅を上記受梁接合部の接合面に相当する幅に拡幅する梁受台座金具を設け、該梁受台座金具を介して上記勾配付集成梁部材の受梁接合部を上記受梁に接合することを特徴とする請求項１に記載の梁部構造。
【請求項３】
上記勾配付集成梁部材の水平面には、構造床が敷設されることを特徴とする請求項１又は２に記載の梁部構造。
【請求項４】
上記勾配付集成梁部材の水平延長部分の端部が、他の集成梁部材に接合されている請求項１〜３のいずれかに記載の梁部構造。
【請求項５】
前記建築物の交差する２方向に斜線制限を受ける場合に適用される請求項１〜４のいずれかに記載の梁部構造。
【発明の詳細な説明】
【０００１】
【発明の属する技術分野】
本発明は勾配付集成梁部材を用いた梁部構造に関し、特に建築物の高さの斜線制限の勾配に沿った勾配面を備えた勾配付集成梁部材を用いた梁部構造に関する。
【０００２】
【従来の技術及び発明が解決しようとする課題】
市街地の日照・採光・通風等の悪化を防止するために、建築物の各部分の高さを制限することを目的として、斜線制限が法律の規定によって定められている。かかる斜線制限には、道路斜線制限、隣地斜線制限、北側斜線制限などがあり、市街地の各種の立地条件等を鑑みて、例えば１０分の１２．５勾配などとして制限されることになる。
【０００３】
このような斜線制限の制約を受ける土地に建物を建造する際には、その建物の立地や間取り等との関係から、階高の上端に位置する直上階の床面と、建物の外壁面との交点が斜線制限の外側に位置する場合があり、このような場合には、かかる外側に位置する部分をカットして、その屋根面ないしは外壁面を上記斜線制限の内側に配置させる必要がある。
【０００４】
このため、従来の方法によれば、図９（ａ）に示すように、下り天井部分８０を設けて建物を段々畑のような形状で計画したり、図９（ｂ）に示すように、斜線制限Ｓの下方に設けた受梁８１から下階８３の階高上端である上階８４の床面８５に向かって斜めに直線状に延長する昇り梁８２を設けて対応する方法が採用されていた。
【０００５】
しかしながら、前者の下り天井部分８０を設ける方法によれば、外壁面積や屋根面積が増大するとともに、斜線制限Ｓによって形成される三角形の部分８６は、使用できない外部空間となって、有効に活用することができない。また、後者の昇り梁８２を設ける方法によれば、この昇り梁８２が、屋根荷重や風圧力を、水平方向の力や鉛直引き抜き方向の力に変化させるため、長期間経過すると、建物に、ちり切れ、壁や天井面の隙間、継ぎ手の変形等を生じさせる可能性が高く、強固な補強を行なう必要を生じることになる。また、これらの下り天井部分８０や、昇り梁８２が、下階８３の空間に大きく食い込んで、当該下階８３の室内空間を狭くしていた。
【０００６】
本発明は、これらの課題に着目してなされたもので、水平力負担、曲げ力負担、鉛直力負担、せん断力負担等をスムースに伝達することが可能であるとともに、下階や上階の空間を室内空間として効率よく利用することのできる勾配付集成梁部材を用いた梁部構造を提供することを目的とする。
【０００７】
【課題を解決するための手段】
本発明は、建築物の高さの斜線制限の勾配に沿った勾配面と、該勾配面を挟んだ下端部分の受梁接合部と、該勾配面を挟んだ上端部分の水平面とを備え、かつ上記受梁接合部から上記勾配面の裏側に沿って、湾曲凹状に延長した後に上記水平面と平行に延長する内側面を備える勾配付集成梁部材を用いた、階高上端に位置する上階の床面と、建築物の外壁面との仮想の交点が斜線制限の外側に位置する部分の梁部構造であって、上記勾配面を上記斜線制限の勾配に沿って配置し、上記受梁接合部を、上記斜線制限を回避して階高上端よりも下方に設けた受梁に接合するとともに、上記水平面を階高上端に沿って延長させることを特徴とする梁部構造を提供することにより、上記目的を達成したものである（請求項１記載の発明）。
【０００９】
また、本発明の梁部構造は、上記受梁には、当該受梁の幅を上記受梁接合部の接合面に相当する幅に拡幅する梁受台座金具を設け、該梁受台座金具を介して上記勾配付集成梁部材の受梁接合部を上記受梁に接合することが好ましい（請求項２記載の発明）。
【００１０】
さらに、本発明の梁部構造は、上記勾配付集成梁部材の水平面に、構造床を敷設することが好ましい（請求項３記載の発明）。
【００１１】
さらにまた、本発明の梁部構造は、上記勾配付集成梁部材の水平延長部分の端部を、他の集成梁部材に接合することができる（請求項４に記載の発明）。
【００１２】
本発明の勾配付集成梁部材を用いた梁部構造によれば、上記勾配面を斜線制限に沿ってこれの内側に配置するようにして、勾配付集成梁部材の下端部分の受梁接合部を上記受梁に接合すれば、その湾曲凹状の内側面を室内に向けた状態で、その上端の水平面が、階高の上端に沿って延長することになる。
【００１３】
また、この勾配付集成梁部材の水平延長部分の端部は、階高上端に配置された他の受梁や集成梁に接続固定されて、一体成型による部材としてその両端が強固に支持されるとともに、内側面が凹状に湾曲する部分においては、強度的に有利なドーム型形状を直線状に抜き出した形状を有しており、これによって鉛直方向の荷重や水平方向の荷重を、これと接続する受梁や他の集成梁にスムースに伝達することが可能になる。
【００１４】
さらに、下階の室内空間の角部においては、内側面の湾曲凹状部分を室内に向けた状態で、勾配付集成梁部材が取付けられていることにより、当該角部の空間を広く確保して、室内空間を有効に活用することができるとともに、勾配付集成梁部材の上端が斜線制限の近傍まで水平面となっていることにより、これの上方を上階の室内空間として有効に活用することができる。
【００１５】
そして、勾配付集成梁部材の受梁接合部を接合する受梁に、当該受梁の幅を拡幅する梁受台座金具を設けておけば、荷重を受ける面積を拡大して、勾配付集成梁部材からの荷重により受梁がめりこんだりするのを効果的に防止することができるとともに、受梁接合部を介して負荷される荷重を効率良く受梁に伝達して、より安定した梁部構造を得ることが可能になる。
【００１６】
また、勾配付集成梁部材の上端の水平面には、構造床を延長敷設することができ、この構造床が梁部材とともに相当の剛性を発揮して、より安定した構造の建築物を得ることができる。
【００１７】
【発明の実施の形態】
以下本発明の好ましい実施形態を図面を参照しつつ詳細に説明する。本実施形態の梁部構造に係る勾配付集成梁部材１１によれば、図１に示すように、建築物２０の斜線制限Ｓの制約を受ける部分の梁部構造２１を構成する梁部材として用いられるものである。
【００１８】
即ち、本実施形態によれば、階高の上端に位置する上階２２の床面２３と、建築物７０の外壁面７１との仮想の交点Ｔが、斜線制限Ｓ（二点鎖線）の外側に位置するため、下階２４の階高を確保しつつこのような斜線制限Ｓをクリアすることを目的として、斜線制限Ｓの下方に設けた受梁２５と、階高の上端に沿って延長する集成梁等からなる他の梁部材１６との間に介装して設けられるものである。
【００１９】
そして、本実施形態の勾配付集成梁部材１１は、図２にも示すように、斜線制限Ｓの勾配に沿った勾配面１０を備え、かつこの勾配面１０を挟んだ下端部分には受梁接合部１２を備えるとともに、勾配面１０を挟んだ上端部分には水平面１３を備え、さらに、下階２４の室内空間に対向する内側面１４が、受梁接合部１２から上記勾配面１０の裏側に沿って湾曲凹状に延長する湾曲部２０と、この湾曲部２０と連続して上記水平面１３と平行に延長する水平延長部２６とからなっている。
【００２０】
なお、この勾配付集成梁部材１１は、ひき材（ラミナ）を繊維方向を互いに平行にして長さ、幅、厚さ方向に集成接着してなる一体成型部材であって、大型構造物の耐力部材としても用いることのできる構造用の大断面集成材である。また、この勾配付集成梁部材１１は、この実施形態によれば、例えば１２０ｍｍ程度の厚さを有するとともに、勾配部分の成（高さ）は例えば２７０〜３６０ｍｍ程度、水平延長部分の成が例えば２７０ｍｍ程度の大きさとなっている。さらに、また、湾曲部分の曲率半径が、例えば１３５０ｍｍ程度の大きさとなっている。
【００２１】
そして、この実施形態によれば、勾配付集成梁部材１１は、その受梁接合部１２が、梁受台座金物１７を介して受梁２５に接合されている。すなわち、図２のＡ部の分解斜視図である図３に示すように、受梁接合部１２は、上記水平面１３と平行な接合面２７の中央部分にほぞ２８を突出形成してなるもので、このほぞ２８を受梁２５の接合部上面に開口形成したほぞ穴１９に挿入嵌合しつつ、受梁２５の上面及びこの上面の幅を拡幅するようにして取り付けられた梁受台座金具１７に載置する。また、集成梁部材１１の受梁接合部１２に近接する両側面には、各々、引寄金物３９が、そのネジロッド部分４０を下方に突出延長するようにして取り付けられており、このネジロッド部分４０を、受梁２５の上端に開口するスウリューワッシャー４１に螺合してゆくことにより、接合面２７を受梁２５及び梁受台座金具１７上に密着配置することができるようになっている。
【００２２】
梁受台座金物１７は、断面が倒立Ｌ字形の内側金物３０と、断面が同じく倒立Ｌ字形の外側金物３１と、受梁２５を挟んでこれらの金物３０，３１を固定する為のバーリングネジ３２とからなり、各金物３０，３１の水平片の上面を上側にし、その鉛直片の背面を受梁２５に密着させた状態で、各金物３０，３１の挿通孔３２，３３及び受梁２５に設けられた貫通孔３４を介して挿通したバーリングネジ３２を締め上げれば、各金物３０，３１は、その天端面の高さを受梁２５の天端面の高さと一致させた状態で、受梁２５に強固に固定されることになる。なお、バーリングネジ３２は、例えば内側金物３０の鉛直片の中央部分をプレス加工等により押出して突起を形成し、この突起に雌ネジ（ナット）加工を施したところに螺合固定される。このバーリングネジ３２に替えて通常のボルトとナットで梁受台座金物１７を固定してもい良い。また各金物３０，３１は、断面Ｌ字形の各片を連結支持する一対の斜めロッド３５によって、各々その変形が防止されるように補強されているとともに、外側金物３１の底面の両側縁部には立上り片３６が各々上方に突出していて、勾配付集成梁部材１１を受梁２５の接合箇所に容易に案内し、かつずれ止めできるようになっている。
【００２３】
また、勾配付集成梁部材１１の他端部、すなわち水平延長部分の先端部３７は、公知の各種の梁接合金物３８を用いて、階高の上端に沿って延長する他の梁部材１６に接合一体化される（図１参照）。
【００２４】
このようにして取り付けられた、勾配付集成梁部材１１には、更に、床梁４２や端部パネル受４３、あるいは垂木４４を支持する母屋梁４５や水平繋ぎ４７等が接合設置される（図２参照）。
【００２５】
図４は、図２のＢ部における床梁４２の接合構造を示すもので、この床梁４２は、勾配付集成梁部材１１の上端側面に仕口部として設置された角梁受金物４８を介して集成梁部材１１に接合されるとともに、羽子板ボルト４９によってこの角梁受金物４８に緊結固定されることになる。
【００２６】
また、図５は、図２のＣ部における端部パネル受４３の接合構造を示すもので、この端部パネル受４３は、勾配付集成梁部材１１の上端角部側面に形成された大入仕口５０にその先端を係止した状態で、複数の釘５１を打ち付けて接合固定されることになる。なお、勾配付集成梁部材１１の側面に接続する水平繋ぎ４７や上面に接続する垂木４４もまた、その先端部分に複数の釘５１を打ち付けて、接合固定されることになる。
【００２７】
さらに、図６は、図２のＤ部における母屋梁４５の接合部分を示すもので、この母屋梁４５は、デルタプレート等を介して勾配付集成梁部材１１の上面に束柱５３を立設固定するとともに、この束柱５３に三角プレート等を介して母屋梁４５を架設接合することによって設置されることになる。なお、この母屋梁４５には、垂木４４を斜線制限Ｓに沿って斜めに延長支持するための垂木欠５６が形成されていると共に、この垂木４４は、ハリケーンタイ５２（図２参照）を介して母屋梁４５に接合されることになる。また、この垂木４４や集成梁部材１１の勾配面１０に沿って、外装材としての野地板等が取り付けら、さらに外装仕上が施されるが、ここは外壁や屋根面として仕上げられる。
【００２８】
そして、本実施形態によれば、梁部構造２１を構成する勾配付集成梁部材１１が、その外側に斜線制限Ｓの勾配に沿った勾配面１０を備えるとともに、その内側面１４に勾配面１０の裏側に沿って湾曲凹状に延長する湾曲部２０を備えているので、鉛直方向の荷重や水平方向の荷重を、強度的に有利な湾曲形状によってこれと接続する受梁２５や他の梁部材１６にスムースに伝達することが可能になる。
【００２９】
また、下階２４の室内空間の角部において、勾配付集成梁部材１１は、湾曲部２０を室内に向けた状態で取付けられているので、この角部の空間を広く確保して、室内空間を有効に活用することができ、例えば図７に示すように、この湾曲部２０にぶつからないような状態で浴室ユニットやトイレユニット等の水周りユニット５７を配置収容することもできる。
【００３０】
さらに、勾配付集成梁部材１１の接合面２７は、図１〜図３に示すように、これの接合箇所において受梁２５の上面を拡幅するようにして取り付けられた梁受台座金具１７を介して、その略全面が下方から支持された状態で受梁２５に密着することになり、荷重を受ける面積を拡大して、勾配付集成梁部材１１からの荷重により受梁２５がめりこんだりするのを効果的に防止することができるとともに、荷重を効率良く受梁２５に伝達して、より安定した梁部構造２１を得ることが可能になる。
【００３１】
そして、本実施形態の梁部構造２１によれば、図１及び図８（ａ）に示すように、他の梁部材１６上に敷設されている構造床５８を、勾配付集成梁部材１１の水平面１３や床梁４２、端部パネル受４３などによって支持させながら、勾配付集成梁部材１１を覆うようにして勾配面１０の近くまで延長敷設している。
【００３２】
強度を備えた構造床５８が、このように階高上端の床面全域に亘って敷設されることにより、構造床５８が梁部材１１，１６とともに相当の剛性を発揮して、より安定した構造の建築物７０を得ること可能になる。
【００３３】
そして、上記構成の勾配付集成梁部材１１及び梁部構造２１は、建築物７０の一方向のみ斜線制限Ｓを受ける場合のみならず、図８（ａ）及び（ｂ）に示すように、交差する２方向に斜線制限を受ける場合にも適用することができる。この場合、一方の方向においては、短尺勾配付集成梁部材１１’の水平延長部分の先端部３７を、これと直交する勾配付集成梁部材１１や他の梁部材１６に、これの側面から梁受金物を介して接合して梁部構造２１とすることもできる。
【００３４】
なお、本発明は上記実施形態に限定されることなく種々の変更が可能である。例えば、当該受梁の幅を拡幅する梁受台座金具は必ずしも設ける必要はなく、勾配付集成梁部材の下端の受梁接合部に、受梁上面のみならず側面にも内側から当接させ得るような矩形の切欠きを設け、この切欠きを受梁の上面及び側面に密着させる、斜め掛けによって受梁接合部を接合させることもできる。また、上記実施形態では、梁受台座金具を内側金具と外側金具の２部材で構成したが、いずれか一方の金具のみを用いても良く、これらの金具が連結一体化した梁受台座金具として用いることもできる。
【００３５】
【発明の効果】
以上の詳細に説明したように、本発明の勾配付集成梁部材を用いた梁部構造によれば、階高上端に位置する上階の床面と、建築物の外壁面との仮想の交点が斜線制限の外側に位置する部分において、斜線制限による制限を回避しつつ、水平力負担、曲げ力負担、鉛直力負担、せん断力負担等をスムーズに伝達することができるとともに、下階や上階の空間を室内空間として効率良く利用することができる。
【図面の簡単な説明】
【図１】本発明の一実施形態に係る勾配付集成梁部材及び梁部構造を説明する側面図である。
【図２】本発明の一実施形態に係る勾配付集成梁部材及び梁部構造を説明する拡大側面図である。
【図３】受梁への勾配付集成梁部材の受梁への接合構造を説明する図２のＡ部拡大分解図である。
【図４】勾配付集成梁部材への床梁の接合構造を説明する図２のＢ部拡大分解図である。
【図５】勾配付集成梁部材への端部パネル受の接合構造を説明する図２のＣ部拡大分解図である。
【図６】勾配付集成梁部材への母屋梁の接合構造を説明する図２のＤ部拡大分解図である。
【図７】湾曲部にぶつからないような状態で水周りユニットを配置収容した状況を示す説明図である。
【図８】本発明を２方向から斜線制限を受ける箇所に適用した状況を説明する、（ａ）は構造床を敷設した状態における平面図、（ｂ）は構造床を敷設していないた状態における平面図である。
【図９】（ａ）及び（ｂ）は、従来の斜線制限を受ける部分の構造を示す側面図である。
【符号の説明】
１０  勾配面
１１  勾配付集成梁部材
１２  受梁接合部
１３  水平面
１４  内側面
１６  他の梁部材
１７  梁受台座金物
２０  湾曲部
２１  梁部構造
２４  下階
２５  受梁
２６  水平延長部
３０  内側金物
３１  外側金物
３７  先端部
５７  水周りユニット
５８  構造床
７０  建築物
Ｓ    斜線制限
【図１】
0004051140.tif 000002
【図２】
0004051140.tif 000003
【図３】
0004051140.tif 000004
【図４】
0004051140.tif 000005
【図５】
0004051140.tif 000006
【図６】
0004051140.tif 000007
【図７】
0004051140.tif 000008
【図８】
0004051140.tif 000009
【図９】
0004051140.tif 000010